(57)【要約】【課題】本発明は哺乳瓶を開示した。【解決手段】瓶の蓋を含み、前記瓶の蓋の下端には主体が設けられ、本装置が加熱、冷却、保温等の操作を完成でき、従来の哺乳瓶の粉ミルクを作ることしかできない問題を克服し、哺乳瓶の中のミルクの温度を制御することができ、乳児がいつも適温のミルクを飲むことができ、同時に本装置が粉乳を自動的に入れることができ、人が外出する時に多くの物を持つ必要がなく、本装置が機械の伝動係合により、錯誤が出る可能性を低下させ、同時に単モータを使用して多機能を実現し、装置のコストを低減し、エネルギー消耗を節約する。【選択図】図１
2020171638.tif 000002
【特許請求の範囲】
【請求項１】
瓶の蓋を含み、前記瓶の蓋の下端には主体が設けられ、前記主体の中には動力チャンバが設けられ、前記動力チャンバの中には動力装置が設けられ、前記動力チャンバの上端には冷却溝が設けられ、前記冷却溝の中には温度制御装置が設けられ、前記動力装置が前記温度制御装置の回転を制御し、前記冷却溝の左右両端壁には吸気口が対称的に設けられ、前記吸気口が前記冷却溝と連通し、前記吸気口が外界と連通し、前記吸気口と前記動力チャンバとの間には吸気遮断板スライド溝が連通して設けられ、前記冷却溝の上端壁には吹出チャンバが設けられ、前記吹出チャンバの左右端壁がそれぞれ外界と連通し、前記吹出チャンバの下端壁には吹出遮断板スライド溝が設けられ、前記吸気口と前記吹出チャンバの中には開閉装置が設けられ、前記動力装置が前記開閉装置の回転と移動を制御し、左右両側の前記吹出チャンバの間には作動チャンバが設けられ、前記瓶の蓋の中には粉乳チャンバが設けられ、前記粉乳チャンバと前記作動チャンバとの間には落ち込み溝が連通して設けられ、前記落ち込み溝の右端には噛合チャンバが設けられ、前記噛合チャンバの中には粉乳装置が設けられ、前記動力装置が前記粉乳装置の回転と左右移動を制御し、前記主体には開閉チャンバが左右対称的に設けられ、前記瓶の蓋の中には押し溝が左右対称的に設けられ、前記押し溝の中には分け装置が設けられ、右端の前記押し溝と前記排出口との間には排出遮断板スライド溝が連通して設けられ、前記瓶の蓋の上端面にはニップルが設けられることを特徴とする哺乳瓶。
【請求項２】
前記動力装置は親ねじを含み、前記親ねじが前記動力チャンバの右端壁と回転できるように係合連結され、前記親ねじの右端にはつまみが設けられ、前記親ねじには親ねじ板がねじ山により係合連結され、前記親ねじ板の上端面が第一ラックであり、前記親ねじ板の上端面にはモータが設けられ、前記モータの上端にはモータ軸が動力が伝達できるように連結され、前記モータ軸の上端にはモータギヤが設けられ、その作用は装置全体に動力を提供することであり、
前記温度制御装置が貫通軸を含み、前記貫通軸が前記動力チャンバの上下端壁と前記冷却溝の上下端壁と回転できるように係合連結され、前記貫通軸の上端には貫通軸上プーリが設けられ、前記貫通軸の中部には貫通軸下プーリが設けられ、前記貫通軸の下端には前記モータギヤと噛み合える貫通軸ギヤが設けられ、前記冷却溝の左右両側には前記冷却溝の上下端壁と回転できるように係合連結されるファン軸が対称的に設けられ、前記ファン軸の上端にはファンが設けられ、その中、左端の前記ファン軸の下端には左ファンプーリが設けられ、前記左ファンプーリと前記貫通軸上プーリとがベルトにより連結され、右端の前記ファン軸の下端には伝送輪が設けられ、前記伝送輪と前記貫通軸下プーリとがベルトにより連結され、前記作動チャンバの外周には電熱線が設けられ、その作用はミルクの温度を制御することであることを特徴とする請求項１に記載の哺乳瓶。
【請求項３】
前記開閉装置が連動軸を含み、前記連動軸が前記動力チャンバの前後端壁と回転できるように係合連結され、前記連動軸の後端には前記親ねじ板と噛み合う連動ギヤが設けられ、前記連動軸の前端には連動ウォームが設けられ、前記動力チャンバの左右端壁には横軸が回転できるように係合連結され、前記横軸の中部には前記連動ウォームと噛み合う横軸ウォームホイールが設けられ、前記横軸の両端には横軸溝車が対称的に設けられ、右端の前記吹出チャンバの中には第一開閉機構が設けられ、前記第一開閉機構が吹出遮断板を含み、前記吹出遮断板が前記吹出遮断板スライド溝とスライドできるように係合連結され、前記吹出遮断板スライド溝の左端壁にはストッパースライド溝が設けられ、前記ストッパースライド溝の中には前記吹出遮断板と固定的に連結されるストッパーがスライドできるように係合連結され、前記ストッパーと前記ストッパースライド溝との間にはストッパーばねが連結され、前記吹出遮断板スライド溝の下端壁には縄溝が設けられ、前記縄溝が前記吸気口を貫通し、前記吸気遮断板スライド溝の中には吸気遮断板がスライドできるように係合連結され、前記吸気遮断板の左端壁には引っ掛かりブロック溝が設けられ、前記引っ掛かりブロック溝の中には前記吸気遮断板と固定的に連結される引っ掛かりブロックがスライドできるように係合連結され、前記引っ掛かりブロックと前記引っ掛かりブロック溝の下端壁との間には引っ掛かりブロックばねが連結され、前記動力チャンバの右端前後端壁には二つの対称な固定滑車が回転できるように係合連結され、前記吸気遮断板の下端面には第一縄が設けられ、左端の前記固定滑車を通し、前記吹出遮断板の下端面には第二縄が設けられ、右端の前記固定滑車を通し、前記第一縄と前記第二縄との間にはプルリングが連結され、前記プルリングの下端と右端の前記横軸溝車との間には第三縄が連結され、前記吹出チャンバの左端には第二開閉機構が前記第一開閉機構と対称となるように設けられ、その作用はエアダクトを開放し、放熱に便利を与えることであることを特徴とする請求項１に記載の哺乳瓶。
【請求項４】
前記粉乳装置が垂直軸を含み、前記垂直軸が前記動力チャンバの上端壁と、前記冷却溝の上下端壁と、前記噛合チャンバの下端壁と回転できるように係合連結され、前記垂直軸の下端には前記モータギヤと噛み合える垂直軸下ギヤが設けられ、前記垂直軸の上端には垂直軸上ギヤが設けられ、前記噛合チャンバの左端壁には粉乳ラックがスライドできるように係合連結され、前記粉乳ラックが前記垂直軸上ギヤと噛みあい、前記粉乳ラックの左端が左へ伸びており、前記噛合チャンバの左端壁を貫通して前記落ち込み溝の中まで入り込み、且つ、前記落ち込み溝の左右端壁とスライドできるように係合連結され、前記粉乳チャンバの上端壁にはストローが設けられ、前記ストローが下へ伸びており、前記粉乳チャンバの下端壁を貫通して前記作動チャンバの中まで入り込み、且つ、前記作動チャンバの上端壁とスライドできるように係合連結され、前記作動チャンバの上端壁には前記ストローとスライドできるように係合連結される栓が設けられ、その作用は粉乳を前記作動チャンバの中に入れることであることを特徴とする請求項１に記載の哺乳瓶。
【請求項５】
前記分け装置は第一分け機構を含み、前記第一分け機構が前記作動チャンバの右端に位置し、前記第一分け機構がＬ型開閉板軸を含み、前記Ｌ型開閉板軸が前記押し溝の前後端壁と回転できるように連結され、前記Ｌ型開閉板軸にはＬ型開閉板が設けられ、前記押し溝の中には押し板がスライドできるように係合連結され、前記押し板と前記押し溝の左端壁との間には押し板ばねが連結され、前記押し板の上端面が第二ラックであり、前記押し板と前記押し溝との間には押し板ばねが連結され、前記作動チャンバの左端には第二分け機構が前記第一分け機構と対称となるように設けられ、右端の前記押し板がＬ型であり、右端の前記押し溝の中には短軸が前後端壁と回転できるように係合連結され、前記短軸の後端には前記押し板と噛み合う短軸ギヤが設けられ、前記短軸の前端には短軸溝車が設けられ、前記排出遮断板スライド溝の中には排出遮断板がスライドできるように係合連結され、前記排出遮断板と前記押し板との間には排出遮断板ばね短軸が連結され、前記排出遮断板と前記短軸溝車との間には第四縄が連結され、前記排出遮断板の下端面と前記押し板との間にはばねが連結され、その作用は前記粉乳チャンバを開け、前記瓶の蓋を前記主体から離し、洗浄や水を入れることに便利を与えることであることを特徴とする請求項１に記載の哺乳瓶。
【発明の詳細な説明】
【技術分野】
【０００１】
本発明は乳児用品分野を取り上げて、具体的には哺乳瓶である。
【背景技術】
【０００２】
現在、社会の発展と人類の進歩につれて、国家が二人っ子政策を正式に施行する以来、乳児用品の発展がますます良くなり、乳児用品において哺乳瓶が無くてはならない物であり、しかし、従来の哺乳瓶は粉乳が溶かされた後で保温性能が比較的に一般であり、また、溶かされた後のミルクが熱すぎるかもしれなく、乳児にすぐに飲ませることができなく、外出する時にいつも粉乳缶、ポットと哺乳瓶等の多い物を持つ必要があり、極めて不便である。
【先行技術文献】
【特許文献】
【０００３】
【特許文献１】中国特許出願公開第１０４９５８１８５号明細書
【発明の概要】
【発明が解決しようとする課題】
【０００４】
本発明は哺乳瓶を提供し、上記背景技術において提出した問題を解決することを目的とする。
【課題を解決するための手段】
【０００５】
上記の目的を実現するために、本発明は以下の技術プランを提供する：哺乳瓶は、瓶の蓋を含み、前記瓶の蓋の下端には主体が設けられ、前記主体の中には動力チャンバが設けられ、前記動力チャンバの中には動力装置が設けられ、前記動力チャンバの上端には冷却溝が設けられ、前記冷却溝の中には温度制御装置が設けられ、前記動力装置が前記温度制御装置の回転を制御し、前記冷却溝の左右両端壁には吸気口が対称的に設けられ、前記吸気口が前記冷却溝と連通し、前記吸気口が外界と連通し、前記吸気口と前記動力チャンバとの間には吸気遮断板スライド溝が連通して設けられ、前記冷却溝の上端壁には吹出チャンバが設けられ、前記吹出チャンバの左右端壁がそれぞれ外界と連通し、前記吹出チャンバの下端壁には吹出遮断板スライド溝が設けられ、前記吸気口と前記吹出チャンバの中には開閉装置が設けられ、前記動力装置が前記開閉装置の回転と移動を制御し、左右両側の前記吹出チャンバの間には作動チャンバが設けられ、前記瓶の蓋の中には粉乳チャンバが設けられ、前記粉乳チャンバと前記作動チャンバとの間には落ち込み溝が連通して設けられ、前記落ち込み溝の右端には噛合チャンバが設けられ、前記噛合チャンバの中には粉乳装置が設けられ、前記動力装置が前記粉乳装置の回転と左右移動を制御し、前記主体には開閉チャンバが左右対称的に設けられ、前記瓶の蓋の中には押し溝が左右対称的に設けられ、前記押し溝の中には分け装置が設けられ、右端の前記押し溝と前記排出口との間には排出遮断板スライド溝が連通して設けられ、前記瓶の蓋の上端面にはニップルが設けられる。
【０００６】
好ましくは、前記動力装置は親ねじを含み、前記親ねじが前記動力チャンバの右端壁と回転できるように係合連結され、前記親ねじの右端にはつまみが設けられ、前記親ねじには親ねじ板がねじ山により係合連結され、前記親ねじ板の上端面が第一ラックであり、前記親ねじ板の上端面にはモータが設けられ、前記モータの上端にはモータ軸が動力が伝達できるように連結され、前記モータ軸の上端にはモータギヤが設けられ、その作用は装置全体に動力を提供することであり、
前記温度制御装置が貫通軸を含み、前記貫通軸が前記動力チャンバの上下端壁と前記冷却溝の上下端壁と回転できるように係合連結され、前記貫通軸の上端には貫通軸上プーリが設けられ、前記貫通軸の中部には貫通軸下プーリが設けられ、前記貫通軸の下端には前記モータギヤと噛み合える貫通軸ギヤが設けられ、前記冷却溝の左右両側には前記冷却溝の上下端壁と回転できるように係合連結されるファン軸が対称的に設けられ、前記ファン軸の上端にはファンが設けられ、その中、左端の前記ファン軸の下端には左ファンプーリが設けられ、前記左ファンプーリと前記貫通軸上プーリとがベルトにより連結され、右端の前記ファン軸の下端には伝送輪が設けられ、前記伝送輪と前記貫通軸下プーリとがベルトにより連結され、前記作動チャンバの外周には電熱線が設けられ、その作用はミルクの温度を制御することである。
【０００７】
好ましくは、前記開閉装置が連動軸を含み、前記連動軸が前記動力チャンバの前後端壁と回転できるように係合連結され、前記連動軸の後端には前記親ねじ板と噛み合う連動ギヤが設けられ、前記連動軸の前端には連動ウォームが設けられ、前記動力チャンバの左右端壁には横軸が回転できるように係合連結され、前記横軸の中部には前記連動ウォームと噛み合う横軸ウォームホイールが設けられ、前記横軸の両端には横軸溝車が対称的に設けられ、右端の前記吹出チャンバの中には第一開閉機構が設けられ、前記第一開閉機構が吹出遮断板を含み、前記吹出遮断板が前記吹出遮断板スライド溝とスライドできるように係合連結され、前記吹出遮断板スライド溝の左端壁にはストッパースライド溝が設けられ、前記ストッパースライド溝の中には前記吹出遮断板と固定的に連結されるストッパーがスライドできるように係合連結され、前記ストッパーと前記ストッパースライド溝との間にはストッパーばねが連結され、前記吹出遮断板スライド溝の下端壁には縄溝が設けられ、前記縄溝が前記吸気口を貫通し、前記吸気遮断板スライド溝の中には吸気遮断板がスライドできるように係合連結され、前記吸気遮断板の左端壁には引っ掛かりブロック溝が設けられ、前記引っ掛かりブロック溝の中には前記吸気遮断板と固定的に連結される引っ掛かりブロックがスライドできるように係合連結され、前記引っ掛かりブロックと前記引っ掛かりブロック溝の下端壁との間には引っ掛かりブロックばねが連結され、前記動力チャンバの右端前後端壁には二つの対称な固定滑車が回転できるように係合連結され、前記吸気遮断板の下端面には第一縄が設けられ、左端の前記固定滑車を通し、前記吹出遮断板の下端面には第二縄が設けられ、右端の前記固定滑車を通し、前記第一縄と前記第二縄との間にはプルリングが連結され、前記プルリングの下端と右端の前記横軸溝車との間には第三縄が連結され、前記吹出チャンバの左端には第二開閉機構が前記第一開閉機構と対称となるように設けられ、その作用はエアダクトを開放し、放熱に便利を与えることである。
【０００８】
好ましくは、前記粉乳装置が垂直軸を含み、前記垂直軸が前記動力チャンバの上端壁と、前記冷却溝の上下端壁と、前記噛合チャンバの下端壁と回転できるように係合連結され、前記垂直軸の下端には前記モータギヤと噛み合える垂直軸下ギヤが設けられ、前記垂直軸の上端には垂直軸上ギヤが設けられ、前記噛合チャンバの左端壁には粉乳ラックがスライドできるように係合連結され、前記粉乳ラックが前記垂直軸上ギヤと噛みあい、前記粉乳ラックの左端が左へ伸びており、前記噛合チャンバの左端壁を貫通して前記落ち込み溝の中まで入り込み、且つ、前記落ち込み溝の左右端壁とスライドできるように係合連結され、前記粉乳チャンバの上端壁にはストローが設けられ、前記ストローが下へ伸びており、前記粉乳チャンバの下端壁を貫通して前記作動チャンバの中まで入り込み、且つ、前記作動チャンバの上端壁とスライドできるように係合連結され、前記作動チャンバの上端壁には前記ストローとスライドできるように係合連結される栓が設けられ、その作用は粉乳を前記作動チャンバの中に入れることである。
【０００９】
好ましくは、前記分け装置は第一分け機構を含み、前記第一分け機構が前記作動チャンバの右端に位置し、前記第一分け機構がＬ型開閉板軸を含み、前記Ｌ型開閉板軸が前記押し溝の前後端壁と回転できるように連結され、前記Ｌ型開閉板軸にはＬ型開閉板が設けられ、前記押し溝の中には押し板がスライドできるように係合連結され、前記押し板と前記押し溝の左端壁との間には押し板ばねが連結され、前記押し板の上端面が第二ラックであり、前記押し板と前記押し溝との間には押し板ばねが連結され、前記作動チャンバの左端には第二分け機構が前記第一分け機構と対称となるように設けられ、右端の前記押し板がＬ型であり、右端の前記押し溝の中には短軸が前後端壁と回転できるように係合連結され、前記短軸の後端には前記押し板と噛み合う短軸ギヤが設けられ、前記短軸の前端には短軸溝車が設けられ、前記排出遮断板スライド溝の中には排出遮断板がスライドできるように係合連結され、前記排出遮断板と前記押し板との間には排出遮断板ばね短軸が連結され、前記排出遮断板と前記短軸溝車との間には第四縄が連結され、前記排出遮断板の下端面と前記押し板との間にはばねが連結され、その作用は前記粉乳チャンバを開け、前記瓶の蓋を前記主体から離し、洗浄や水を入れることに便利を与えることである。
【発明の効果】
【００１０】
本発明の有益効果は：本装置が加熱、冷却、保温等の操作を完成でき、従来の哺乳瓶の粉ミルクを作ることしかできない問題を克服し、哺乳瓶の中のミルクの温度を制御することができ、乳児がいつも適温のミルクを飲むことができ、同時に本装置が粉乳を自動的に入れることができ、人が外出する時に多くの物を持つ必要がなく、本装置が機械の伝動係合により、錯誤が出る可能性を低下させ、同時に単モータを使用して多機能を実現し、装置のコストを低減し、エネルギー消耗を節約する。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の哺乳瓶全体断面の正面構成模式図
【図２】図２は本発明の図１の中の瓶の蓋の構成断面図
【図３】図３は本発明の図２の中のＢにおける部分拡大図
【図４】図４は本発明の図１の中の主体の構成断面図
【図５】図５は本発明の図４の中のＡにおける部分拡大図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。便利に叙述するために、現在は後文に出る方位を下記の通りに規定する：後文に出る上下左右前後方向は図１本体の投影関係の上下左右前後方向と一致する。
【００１４】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１５】
図１−５を参照し、本発明が提供する実施例：哺乳瓶は、瓶の蓋１００を含み、前記瓶の蓋１００の下端には主体６７が設けられ、前記主体６７の中には動力チャンバ５３が設けられ、前記動力チャンバ５３の中には動力装置１０１が設けられ、前記動力チャンバ５３の上端には冷却溝８７が設けられ、前記冷却溝８７の中には温度制御装置１０２が設けられ、前記動力装置１０１が前記温度制御装置１０２の回転を制御し、前記冷却溝８７の左右両端壁には吸気口６２が対称的に設けられ、前記吸気口６２が前記冷却溝８７と連通し、前記吸気口６２が外界と連通し、前記吸気口６２と前記動力チャンバ５３との間には吸気遮断板スライド溝７４が連通して設けられ、前記冷却溝８７の上端壁には吹出チャンバ４２が設けられ、前記吹出チャンバ４２の左右端壁がそれぞれ外界と連通し、前記吹出チャンバ４２の下端壁には吹出遮断板スライド溝４４が設けられ、前記吸気口６２と前記吹出チャンバ４２の中には開閉装置１０３が設けられ、前記動力装置１０１が前記開閉装置１０３の回転と移動を制御し、左右両側の前記吹出チャンバ４２の間には作動チャンバ６６が設けられ、前記瓶の蓋１００の中には粉乳チャンバ２１が設けられ、前記粉乳チャンバ２１と前記作動チャンバ６６との間には落ち込み溝６９が連通して設けられ、前記落ち込み溝６９の右端には噛合チャンバ２５が設けられ、前記噛合チャンバ２５の中には粉乳装置１０４が設けられ、前記動力装置１０１が前記粉乳装置１０４の回転と左右移動を制御し、前記主体６７には開閉チャンバ４０が左右対称的に設けられ、前記瓶の蓋１００の中には押し溝８８が左右対称的に設けられ、前記押し溝８８の中には分け装置１０５が設けられ、右端の前記押し溝８８と前記排出口２８との間には排出遮断板スライド溝３０が連通して設けられ、前記瓶の蓋１００の上端面にはニップル２３が設けられる。
【００１６】
有益的には、前記動力装置１０１は親ねじ４８を含み、前記親ねじ４８が前記動力チャンバ５３の右端壁と回転できるように係合連結され、前記親ねじ４８の右端にはつまみ４７が設けられ、前記親ねじ４８には親ねじ板４９がねじ山により係合連結され、前記親ねじ板４９の上端面が第一ラック９９であり、前記親ねじ板４９の上端面にはモータ５０が設けられ、前記モータ５０の上端にはモータ軸５１が動力が伝達できるように連結され、前記モータ軸５１の上端にはモータギヤ５２が設けられ、その作用は装置全体に動力を提供することであり、
前記温度制御装置１０２が貫通軸５５を含み、前記貫通軸５５が前記動力チャンバ５３の上下端壁と前記冷却溝８７の上下端壁と回転できるように係合連結され、前記貫通軸５５の上端には貫通軸上プーリ５８が設けられ、前記貫通軸５５の中部には貫通軸下プーリ５７が設けられ、前記貫通軸５５の下端には前記モータギヤ５２と噛み合える貫通軸ギヤ５４が設けられ、前記冷却溝８７の左右両側には前記冷却溝８７の上下端壁と回転できるように係合連結されるファン軸５９が対称的に設けられ、前記ファン軸５９の上端にはファン６１が設けられ、その中、左端の前記ファン軸５９の下端には左ファンプーリ６０が設けられ、前記左ファンプーリ６０と前記貫通軸上プーリ５８とがベルトにより連結され、右端の前記ファン軸５９の下端には伝送輪７０が設けられ、前記伝送輪７０と前記貫通軸下プーリ５７とがベルトにより連結され、前記作動チャンバ６６の外周には電熱線６５が設けられ、その作用はミルクの温度を制御することである。
【００１７】
有益的には、前記開閉装置１０３が連動軸８４を含み、前記連動軸８４が前記動力チャンバ５３の前後端壁と回転できるように係合連結され、前記連動軸８４の後端には前記親ねじ板４９と噛み合う連動ギヤ８２が設けられ、前記連動軸８４の前端には連動ウォーム８３が設けられ、前記動力チャンバ５３の左右端壁には横軸５６が回転できるように係合連結され、前記横軸５６の中部には前記連動ウォーム８３と噛み合う横軸ウォームホイール８１が設けられ、前記横軸５６の両端には横軸溝車７９が対称的に設けられ、右端の前記吹出チャンバ４２の中には第一開閉機構９７が設けられ、前記第一開閉機構９７が吹出遮断板４１を含み、前記吹出遮断板４１が前記吹出遮断板スライド溝４４とスライドできるように係合連結され、前記吹出遮断板スライド溝４４の左端壁にはストッパースライド溝４６が設けられ、前記ストッパースライド溝４６の中には前記吹出遮断板４１と固定的に連結されるストッパー４３がスライドできるように係合連結され、前記ストッパー４３と前記ストッパースライド溝４６との間にはストッパーばね４５が連結され、前記吹出遮断板スライド溝４４の下端壁には縄溝７５が設けられ、前記縄溝７５が前記吸気口６２を貫通し、前記吸気遮断板スライド溝７４の中には吸気遮断板６３がスライドできるように係合連結され、前記吸気遮断板６３の左端壁には引っ掛かりブロック溝７１が設けられ、前記引っ掛かりブロック溝７１の中には前記吸気遮断板６３と固定的に連結される引っ掛かりブロック７２がスライドできるように係合連結され、前記引っ掛かりブロック７２と前記引っ掛かりブロック溝７１の下端壁との間には引っ掛かりブロックばね７３が連結され、前記動力チャンバ５３の右端前後端壁には二つの対称な固定滑車７６が回転できるように係合連結され、前記吸気遮断板６３の下端面には第一縄９２が設けられ、左端の前記固定滑車７６を通し、前記吹出遮断板４１の下端面には第二縄９１が設けられ、右端の前記固定滑車７６を通し、前記第一縄９２と前記第二縄９１との間にはプルリング７８が連結され、前記プルリング７８の下端と右端の前記横軸溝車７９との間には第三縄９０が連結され、前記吹出チャンバ４２の左端には第二開閉機構９６が前記第一開閉機構９７と対称となるように設けられ、その作用はエアダクトを開放し、放熱に便利を与えることである。
【００１８】
有益的には、前記粉乳装置１０４が垂直軸８６を含み、前記垂直軸８６が前記動力チャンバ５３の上端壁と、前記冷却溝８７の上下端壁と、前記噛合チャンバ２５の下端壁と回転できるように係合連結され、前記垂直軸８６の下端には前記モータギヤ５２と噛み合える垂直軸下ギヤ８５が設けられ、前記垂直軸８６の上端には垂直軸上ギヤ２６が設けられ、前記噛合チャンバ２５の左端壁には粉乳ラック２４がスライドできるように係合連結され、前記粉乳ラック２４が前記垂直軸上ギヤ２６と噛みあい、前記粉乳ラック２４の左端が左へ伸びており、前記噛合チャンバ２５の左端壁を貫通して前記落ち込み溝６９の中まで入り込み、且つ、前記落ち込み溝６９の左右端壁とスライドできるように係合連結され、前記粉乳チャンバ２１の上端壁にはストロー２２が設けられ、前記ストロー２２が下へ伸びており、前記粉乳チャンバ２１の下端壁を貫通して前記作動チャンバ６６の中まで入り込み、且つ、前記作動チャンバ６６の上端壁とスライドできるように係合連結され、前記作動チャンバ６６の上端壁には前記ストロー２２とスライドできるように係合連結される栓６８が設けられ、その作用は粉乳を前記作動チャンバ６６の中に入れることである。
【００１９】
有益的には、前記分け装置１０５は第一分け機構１１０を含み、前記第一分け機構１１０が前記作動チャンバ６６の右端に位置し、前記第一分け機構１１０がＬ型開閉板軸３９を含み、前記Ｌ型開閉板軸３９が前記押し溝８８の前後端壁と回転できるように連結され、前記Ｌ型開閉板軸３９にはＬ型開閉板３８が設けられ、前記押し溝８８の中には押し板３５がスライドできるように係合連結され、前記押し板３５と前記押し溝８８の左端壁との間には押し板ばね３６が連結され、前記押し板３５の上端面が第二ラック９８であり、前記押し板３５と前記押し溝８８との間には押し板ばね３６が連結され、前記作動チャンバ６６の左端には第二分け機構１１１が前記第一分け機構１１０と対称となるように設けられ、右端の前記押し板３５がＬ型であり、右端の前記押し溝８８の中には短軸３３が前後端壁と回転できるように係合連結され、前記短軸３３の後端には前記押し板３５と噛み合う短軸ギヤ３４が設けられ、前記短軸３３の前端には短軸溝車８９が設けられ、前記排出遮断板スライド溝３０の中には排出遮断板２９がスライドできるように係合連結され、前記排出遮断板２９と前記押し板３５との間には排出遮断板ばね短軸３２が連結され、前記排出遮断板２９と前記短軸溝車８９との間には第四縄９３が連結され、前記排出遮断板２９の下端面と前記押し板３５との間にはばねが連結され、その作用は前記粉乳チャンバ２１を開け、前記瓶の蓋１００を前記主体６７から離し、洗浄や水を入れることに便利を与えることである。
【００２０】
以下、付図１−５及び上記説明した本出願の哺乳瓶の具体的な構成を参照して本出願の哺乳瓶の使用方法を詳しく紹介する：まず、初期状態において、作動チャンバ６６の中にはお湯があり、粉乳チャンバ２１の中には粉乳があり、モータギヤ５２と垂直軸下ギヤ８５とが噛み合っている。
【００２１】
使用する時、まずモータ５０を始動し、モータ軸５１と、モータギヤ５２と、垂直軸下ギヤ８５と、垂直軸８６と、垂直軸上ギヤ２６との回転により、粉乳ラック２４を右へ引っ張り、落ち込み溝６９を開け、作動チャンバ６６まで粉乳を落下させ、その後、モータ５０を逆方向に回転させることにより、落ち込み溝６９を閉じ、この時、水の温度が高すぎるので、飲もうとすると、親ねじ板４９を回転させ、親ねじ４８の回転により親ねじ板４９を連動して左へ移動させ、これによって貫通軸ギヤ５４がモータギヤ５２と噛み合い、この時、親ねじ板４９が連動軸８４と、連動ウォーム８３と、連動ギヤ８２と、横軸ウォームホイール８１と、横軸５６と、横軸溝車７９と、固定滑車７６とを連動して回転させ、これによって吸気遮断板６３と吹出遮断板４１とを下へ引っ張り、吹出チャンバ４２と吸気口６２を開け、その後、モータ５０を始動し、これによってモータ軸５１と、モータギヤ５２と、貫通軸ギヤ５４と、貫通軸５５と、貫通軸下プーリ５７と、貫通軸上プーリ５８と、左ファンプーリ６０と、伝送輪７０と、二つのファン軸５９を連動して回転させ、これによってファン６１を連動して回転させ、作動チャンバ６６の中のお湯の温度を下げ、温度を下げた後、つまみ４７により吹出チャンバ４２と吸気口６２を閉じ、これによって保温し、温度が低すぎる時、電熱線６５をオンし、作動チャンバ６６を加熱し、飲み終わった後に洗浄する時、押し板３５を押し、これによって短軸ギヤ３４を通じてＬ型開閉板３８の下端を開閉チャンバ４０の引っ掛かり溝から離し、その後瓶の蓋１００を離し、作動チャンバ６６を洗浄し、押し板３５を押す時、これによって短軸３３と、短軸ギヤ３４と、短軸溝車８９とを連動し回転させ、これによって排出遮断板２９を下へ引っ張り、これによって排出口２８を開け、これによって粉乳チャンバ２１の中に粉乳を入れることができる。
【００２２】
本発明の有益効果は：本装置が加熱、冷却、保温等の操作を完成でき、従来の哺乳瓶の粉ミルクを作ることしかできない問題を克服し、哺乳瓶の中のミルクの温度を制御することができ、乳児がいつも適温のミルクを飲むことができ、同時に本装置が粉乳を自動的に入れることができ、人が外出する時に多くの物を持つ必要がなく、本装置が機械の伝動係合により、錯誤が出る可能性を低下させ、同時に単モータを使用して多機能を実現し、装置のコストを低減し、エネルギー消耗を節約する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171638.tif 000003
【図２】
2020171638.tif 000004
【図３】
2020171638.tif 000005
【図４】
2020171638.tif 000006
【図５】
2020171638.tif 000007
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
瓶の蓋を含み、前記瓶の蓋の下端には主体が設けられ、前記主体の中には動力チャンバが設けられ、前記動力チャンバの中には動力装置が設けられ、前記動力チャンバの上端には冷却溝が設けられ、前記冷却溝の中には温度制御装置が設けられ、前記冷却溝の左右両端壁には吸気口が対称的に設けられ、前記吸気口が前記冷却溝と連通し、前記吸気口が外界と連通し、前記吸気口と前記動力チャンバとの間には吸気遮断板スライド溝が連通して設けられ、前記冷却溝の上端壁には吹出チャンバが設けられ、前記吹出チャンバの左右端壁がそれぞれ外界と連通し、前記吹出チャンバの下端壁には吹出遮断板スライド溝が設けられ、前記吸気口と前記吹出チャンバの中には開閉装置が設けられ、左右両側の前記吹出チャンバの間には作動チャンバが設けられ、前記瓶の蓋の中には粉乳チャンバが設けられ、前記粉乳チャンバと前記作動チャンバとの間には落ち込み溝が連通して設けられ、前記落ち込み溝の右端には噛合チャンバが設けられ、前記噛合チャンバの中には粉乳装置が設けられ、前記主体には開閉チャンバが左右対称的に設けられ、前記瓶の蓋の中には押し溝が左右対称的に設けられ、前記押し溝の中には分け装置が設けられ、右端の前記押し溝と前記排出口との間には排出遮断板スライド溝が連通して設けられ、前記瓶の蓋の上端面にはニップルが設けられることを特徴とする哺乳瓶。
【請求項２】
前記動力装置は親ねじを含み、前記親ねじが前記動力チャンバの右端壁と回転できるように係合連結され、前記親ねじの右端にはつまみが設けられ、前記親ねじには親ねじ板がねじ山により係合連結され、前記親ねじ板の上端面が第一ラックであり、前記親ねじ板の上端面にはモータが設けられ、前記モータの上端にはモータ軸が動力が伝達できるように連結され、前記モータ軸の上端にはモータギヤが設けられ、その作用は装置全体に動力を提供することであり、
前記温度制御装置が貫通軸を含み、前記貫通軸が前記動力チャンバの上下端壁と前記冷却溝の上下端壁と回転できるように係合連結され、前記貫通軸の上端には貫通軸上プーリが設けられ、前記貫通軸の中部には貫通軸下プーリが設けられ、前記貫通軸の下端には前記モータギヤと噛み合える貫通軸ギヤが設けられ、前記冷却溝の左右両側には前記冷却溝の上下端壁と回転できるように係合連結されるファン軸が対称的に設けられ、前記ファン軸の上端にはファンが設けられ、その中、左端の前記ファン軸の下端には左ファンプーリが設けられ、前記左ファンプーリと前記貫通軸上プーリとがベルトにより連結され、右端の前記ファン軸の下端には伝送輪が設けられ、前記伝送輪と前記貫通軸下プーリとがベルトにより連結され、前記作動チャンバの外周には電熱線が設けられ、その作用はミルクの温度を制御することであることを特徴とする請求項１に記載の哺乳瓶。
【請求項３】
前記開閉装置が連動軸を含み、前記連動軸が前記動力チャンバの前後端壁と回転できるように係合連結され、前記連動軸の後端には前記親ねじ板と噛み合う連動ギヤが設けられ、前記連動軸の前端には連動ウォームが設けられ、前記動力チャンバの左右端壁には横軸が回転できるように係合連結され、前記横軸の中部には前記連動ウォームと噛み合う横軸ウォームホイールが設けられ、前記横軸の両端には横軸溝車が対称的に設けられ、右端の前記吹出チャンバの中には第一開閉機構が設けられ、前記第一開閉機構が吹出遮断板を含み、前記吹出遮断板が前記吹出遮断板スライド溝とスライドできるように係合連結され、前記吹出遮断板スライド溝の左端壁にはストッパースライド溝が設けられ、前記ストッパースライド溝の中には前記吹出遮断板と固定的に連結されるストッパーがスライドできるように係合連結され、前記ストッパーと前記ストッパースライド溝との間にはストッパーばねが連結され、前記吹出遮断板スライド溝の下端壁には縄溝が設けられ、前記縄溝が前記吸気口を貫通し、前記吸気遮断板スライド溝の中には吸気遮断板がスライドできるように係合連結され、前記吸気遮断板の左端壁には引っ掛かりブロック溝が設けられ、前記引っ掛かりブロック溝の中には前記吸気遮断板と固定的に連結される引っ掛かりブロックがスライドできるように係合連結され、前記引っ掛かりブロックと前記引っ掛かりブロック溝の下端壁との間には引っ掛かりブロックばねが連結され、前記動力チャンバの右端前後端壁には二つの対称な固定滑車が回転できるように係合連結され、前記吸気遮断板の下端面には第一縄が設けられ、左端の前記固定滑車を通し、前記吹出遮断板の下端面には第二縄が設けられ、右端の前記固定滑車を通し、前記第一縄と前記第二縄との間にはプルリングが連結され、前記プルリングの下端と右端の前記横軸溝車との間には第三縄が連結され、前記吹出チャンバの左端には第二開閉機構が前記第一開閉機構と対称となるように設けられ、その作用はエアダクトを開放し、放熱に便利を与えることであることを特徴とする請求項１に記載の哺乳瓶。
【請求項４】
前記粉乳装置が垂直軸を含み、前記垂直軸が前記動力チャンバの上端壁と、前記冷却溝の上下端壁と、前記噛合チャンバの下端壁と回転できるように係合連結され、前記垂直軸の下端には前記モータギヤと噛み合える垂直軸下ギヤが設けられ、前記垂直軸の上端には垂直軸上ギヤが設けられ、前記噛合チャンバの左端壁には粉乳ラックがスライドできるように係合連結され、前記粉乳ラックが前記垂直軸上ギヤと噛みあい、前記粉乳ラックの左端が左へ伸びており、前記噛合チャンバの左端壁を貫通して前記落ち込み溝の中まで入り込み、且つ、前記落ち込み溝の左右端壁とスライドできるように係合連結され、前記粉乳チャンバの上端壁にはストローが設けられ、前記ストローが下へ伸びており、前記粉乳チャンバの下端壁を貫通して前記作動チャンバの中まで入り込み、且つ、前記作動チャンバの上端壁とスライドできるように係合連結され、前記作動チャンバの上端壁には前記ストローとスライドできるように係合連結される栓が設けられ、その作用は粉乳を前記作動チャンバの中に入れることであることを特徴とする請求項１に記載の哺乳瓶。
【請求項５】
前記分け装置は第一分け機構を含み、前記第一分け機構が前記作動チャンバの右端に位置し、前記第一分け機構がＬ型開閉板軸を含み、前記Ｌ型開閉板軸が前記押し溝の前後端壁と回転できるように連結され、前記Ｌ型開閉板軸にはＬ型開閉板が設けられ、前記押し溝の中には押し板がスライドできるように係合連結され、前記押し板と前記押し溝の左端壁との間には押し板ばねが連結され、前記押し板の上端面が第二ラックであり、前記押し板と前記押し溝との間には押し板ばねが連結され、前記作動チャンバの左端には第二分け機構が前記第一分け機構と対称となるように設けられ、右端の前記押し板がＬ型であり、右端の前記押し溝の中には短軸が前後端壁と回転できるように係合連結され、前記短軸の後端には前記押し板と噛み合う短軸ギヤが設けられ、前記短軸の前端には短軸溝車が設けられ、前記排出遮断板スライド溝の中には排出遮断板がスライドできるように係合連結され、前記排出遮断板と前記押し板との間には排出遮断板ばね短軸が連結され、前記排出遮断板と前記短軸溝車との間には第四縄が連結され、前記排出遮断板の下端面と前記押し板との間にはばねが連結され、その作用は前記粉乳チャンバを開け、前記瓶の蓋を前記主体から離し、洗浄や水を入れることに便利を与えることであることを特徴とする請求項１に記載の哺乳瓶。
【手続補正２】
【補正対象書類名】明細書
【補正対象項目名】全文
【補正方法】変更
【補正の内容】
【発明の詳細な説明】
【技術分野】
【０００１】
本発明は乳児用品分野を取り上げて、具体的には哺乳瓶である。
【背景技術】
【０００２】
現在、社会の発展と人類の進歩につれて、国家が二人っ子政策を正式に施行する以来、乳児用品の発展がますます良くなり、乳児用品において哺乳瓶が無くてはならない物であり、しかし、従来の哺乳瓶は粉乳が溶かされた後で保温性能が比較的に一般であり、また、溶かされた後のミルクが熱すぎるかもしれなく、乳児にすぐに飲ませることができなく、外出する時にいつも粉乳缶、ポットと哺乳瓶等の多い物を持つ必要があり、極めて不便である。
【先行技術文献】
【特許文献】
【０００３】
【特許文献１】中国特許出願公開第１０４９５８１８５号明細書
【発明の概要】
【発明が解決しようとする課題】
【０００４】
本発明は哺乳瓶を提供し、上記背景技術において提出した問題を解決することを目的とする。
【課題を解決するための手段】
【０００５】
上記の目的を実現するために、本発明は以下の技術プランを提供する：哺乳瓶は、瓶の蓋を含み、前記瓶の蓋の下端には主体が設けられ、前記主体の中には動力チャンバが設けられ、前記動力チャンバの中には動力装置が設けられ、前記動力チャンバの上端には冷却溝が設けられ、前記冷却溝の中には温度制御装置が設けられ、前記冷却溝の左右両端壁には吸気口が対称的に設けられ、前記吸気口が前記冷却溝と連通し、前記吸気口が外界と連通し、前記吸気口と前記動力チャンバとの間には吸気遮断板スライド溝が連通して設けられ、前記冷却溝の上端壁には吹出チャンバが設けられ、前記吹出チャンバの左右端壁がそれぞれ外界と連通し、前記吹出チャンバの下端壁には吹出遮断板スライド溝が設けられ、前記吸気口と前記吹出チャンバの中には開閉装置が設けられ、左右両側の前記吹出チャンバの間には作動チャンバが設けられ、前記瓶の蓋の中には粉乳チャンバが設けられ、前記粉乳チャンバと前記作動チャンバとの間には落ち込み溝が連通して設けられ、前記落ち込み溝の右端には噛合チャンバが設けられ、前記噛合チャンバの中には粉乳装置が設けられ、前記主体には開閉チャンバが左右対称的に設けられ、前記瓶の蓋の中には押し溝が左右対称的に設けられ、前記押し溝の中には分け装置が設けられ、右端の前記押し溝と前記排出口との間には排出遮断板スライド溝が連通して設けられ、前記瓶の蓋の上端面にはニップルが設けられる。
【０００６】
好ましくは、前記動力装置は親ねじを含み、前記親ねじが前記動力チャンバの右端壁と回転できるように係合連結され、前記親ねじの右端にはつまみが設けられ、前記親ねじには親ねじ板がねじ山により係合連結され、前記親ねじ板の上端面が第一ラックであり、前記親ねじ板の上端面にはモータが設けられ、前記モータの上端にはモータ軸が動力が伝達できるように連結され、前記モータ軸の上端にはモータギヤが設けられ、その作用は装置全体に動力を提供することであり、
前記温度制御装置が貫通軸を含み、前記貫通軸が前記動力チャンバの上下端壁と前記冷却溝の上下端壁と回転できるように係合連結され、前記貫通軸の上端には貫通軸上プーリが設けられ、前記貫通軸の中部には貫通軸下プーリが設けられ、前記貫通軸の下端には前記モータギヤと噛み合える貫通軸ギヤが設けられ、前記冷却溝の左右両側には前記冷却溝の上下端壁と回転できるように係合連結されるファン軸が対称的に設けられ、前記ファン軸の上端にはファンが設けられ、その中、左端の前記ファン軸の下端には左ファンプーリが設けられ、前記左ファンプーリと前記貫通軸上プーリとがベルトにより連結され、右端の前記ファン軸の下端には伝送輪が設けられ、前記伝送輪と前記貫通軸下プーリとがベルトにより連結され、前記作動チャンバの外周には電熱線が設けられ、その作用はミルクの温度を制御することである。
【０００７】
好ましくは、前記開閉装置が連動軸を含み、前記連動軸が前記動力チャンバの前後端壁と回転できるように係合連結され、前記連動軸の後端には前記親ねじ板と噛み合う連動ギヤが設けられ、前記連動軸の前端には連動ウォームが設けられ、前記動力チャンバの左右端壁には横軸が回転できるように係合連結され、前記横軸の中部には前記連動ウォームと噛み合う横軸ウォームホイールが設けられ、前記横軸の両端には横軸溝車が対称的に設けられ、右端の前記吹出チャンバの中には第一開閉機構が設けられ、前記第一開閉機構が吹出遮断板を含み、前記吹出遮断板が前記吹出遮断板スライド溝とスライドできるように係合連結され、前記吹出遮断板スライド溝の左端壁にはストッパースライド溝が設けられ、前記ストッパースライド溝の中には前記吹出遮断板と固定的に連結されるストッパーがスライドできるように係合連結され、前記ストッパーと前記ストッパースライド溝との間にはストッパーばねが連結され、前記吹出遮断板スライド溝の下端壁には縄溝が設けられ、前記縄溝が前記吸気口を貫通し、前記吸気遮断板スライド溝の中には吸気遮断板がスライドできるように係合連結され、前記吸気遮断板の左端壁には引っ掛かりブロック溝が設けられ、前記引っ掛かりブロック溝の中には前記吸気遮断板と固定的に連結される引っ掛かりブロックがスライドできるように係合連結され、前記引っ掛かりブロックと前記引っ掛かりブロック溝の下端壁との間には引っ掛かりブロックばねが連結され、前記動力チャンバの右端前後端壁には二つの対称な固定滑車が回転できるように係合連結され、前記吸気遮断板の下端面には第一縄が設けられ、左端の前記固定滑車を通し、前記吹出遮断板の下端面には第二縄が設けられ、右端の前記固定滑車を通し、前記第一縄と前記第二縄との間にはプルリングが連結され、前記プルリングの下端と右端の前記横軸溝車との間には第三縄が連結され、前記吹出チャンバの左端には第二開閉機構が前記第一開閉機構と対称となるように設けられ、その作用はエアダクトを開放し、放熱に便利を与えることである。
【０００８】
好ましくは、前記粉乳装置が垂直軸を含み、前記垂直軸が前記動力チャンバの上端壁と、前記冷却溝の上下端壁と、前記噛合チャンバの下端壁と回転できるように係合連結され、前記垂直軸の下端には前記モータギヤと噛み合える垂直軸下ギヤが設けられ、前記垂直軸の上端には垂直軸上ギヤが設けられ、前記噛合チャンバの左端壁には粉乳ラックがスライドできるように係合連結され、前記粉乳ラックが前記垂直軸上ギヤと噛みあい、前記粉乳ラックの左端が左へ伸びており、前記噛合チャンバの左端壁を貫通して前記落ち込み溝の中まで入り込み、且つ、前記落ち込み溝の左右端壁とスライドできるように係合連結され、前記粉乳チャンバの上端壁にはストローが設けられ、前記ストローが下へ伸びており、前記粉乳チャンバの下端壁を貫通して前記作動チャンバの中まで入り込み、且つ、前記作動チャンバの上端壁とスライドできるように係合連結され、前記作動チャンバの上端壁には前記ストローとスライドできるように係合連結される栓が設けられ、その作用は粉乳を前記作動チャンバの中に入れることである。
【０００９】
好ましくは、前記分け装置は第一分け機構を含み、前記第一分け機構が前記作動チャンバの右端に位置し、前記第一分け機構がＬ型開閉板軸を含み、前記Ｌ型開閉板軸が前記押し溝の前後端壁と回転できるように連結され、前記Ｌ型開閉板軸にはＬ型開閉板が設けられ、前記押し溝の中には押し板がスライドできるように係合連結され、前記押し板と前記押し溝の左端壁との間には押し板ばねが連結され、前記押し板の上端面が第二ラックであり、前記押し板と前記押し溝との間には押し板ばねが連結され、前記作動チャンバの左端には第二分け機構が前記第一分け機構と対称となるように設けられ、右端の前記押し板がＬ型であり、右端の前記押し溝の中には短軸が前後端壁と回転できるように係合連結され、前記短軸の後端には前記押し板と噛み合う短軸ギヤが設けられ、前記短軸の前端には短軸溝車が設けられ、前記排出遮断板スライド溝の中には排出遮断板がスライドできるように係合連結され、前記排出遮断板と前記押し板との間には排出遮断板ばね短軸が連結され、前記排出遮断板と前記短軸溝車との間には第四縄が連結され、前記排出遮断板の下端面と前記押し板との間にはばねが連結され、その作用は前記粉乳チャンバを開け、前記瓶の蓋を前記主体から離し、洗浄や水を入れることに便利を与えることである。
【発明の効果】
【００１０】
本発明の有益効果は：本装置が加熱、冷却、保温等の操作を完成でき、従来の哺乳瓶の粉ミルクを作ることしかできない問題を克服し、哺乳瓶の中のミルクの温度を制御することができ、乳児がいつも適温のミルクを飲むことができ、同時に本装置が粉乳を自動的に入れることができ、人が外出する時に多くの物を持つ必要がなく、本装置が機械の伝動係合により、錯誤が出る可能性を低下させ、同時に単モータを使用して多機能を実現し、装置のコストを低減し、エネルギー消耗を節約する。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の哺乳瓶全体断面の正面構成模式図
【図２】図２は本発明の図１の中の瓶の蓋の構成断面図
【図３】図３は本発明の図２の中のＢにおける部分拡大図
【図４】図４は本発明の図１の中の主体の構成断面図
【図５】図５は本発明の図４の中のＡにおける部分拡大図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。便利に叙述するために、現在は後文に出る方位を下記の通りに規定する：後文に出る上下左右前後方向は図１本体の投影関係の上下左右前後方向と一致する。
【００１４】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１５】
図１−５を参照し、本発明が提供する実施例：哺乳瓶は、瓶の蓋１００を含み、前記瓶の蓋１００の下端には主体６７が設けられ、前記主体６７の中には動力チャンバ５３が設けられ、前記動力チャンバ５３の中には動力装置１０１が設けられ、前記動力チャンバ５３の上端には冷却溝８７が設けられ、前記冷却溝８７の中には温度制御装置１０２が設けられ、前記冷却溝８７の左右両端壁には吸気口６２が対称的に設けられ、前記吸気口６２が前記冷却溝８７と連通し、前記吸気口６２が外界と連通し、前記吸気口６２と前記動力チャンバ５３との間には吸気遮断板スライド溝７４が連通して設けられ、前記冷却溝８７の上端壁には吹出チャンバ４２が設けられ、前記吹出チャンバ４２の左右端壁がそれぞれ外界と連通し、前記吹出チャンバ４２の下端壁には吹出遮断板スライド溝４４が設けられ、前記吸気口６２と前記吹出チャンバ４２の中には開閉装置１０３が設けられ、左右両側の前記吹出チャンバ４２の間には作動チャンバ６６が設けられ、前記瓶の蓋１００の中には粉乳チャンバ２１が設けられ、前記粉乳チャンバ２１と前記作動チャンバ６６との間には落ち込み溝６９が連通して設けられ、前記落ち込み溝６９の右端には噛合チャンバ２５が設けられ、前記噛合チャンバ２５の中には粉乳装置１０４が設けられ、前記主体６７には開閉チャンバ４０が左右対称的に設けられ、前記瓶の蓋１００の中には押し溝８８が左右対称的に設けられ、前記押し溝８８の中には分け装置１０５が設けられ、右端の前記押し溝８８と前記排出口２８との間には排出遮断板スライド溝３０が連通して設けられ、前記瓶の蓋１００の上端面にはニップル２３が設けられる。
【００１６】
有益的には、前記動力装置１０１は親ねじ４８を含み、前記親ねじ４８が前記動力チャンバ５３の右端壁と回転できるように係合連結され、前記親ねじ４８の右端にはつまみ４７が設けられ、前記親ねじ４８には親ねじ板４９がねじ山により係合連結され、前記親ねじ板４９の上端面が第一ラック９９であり、前記親ねじ板４９の上端面にはモータ５０が設けられ、前記モータ５０の上端にはモータ軸５１が動力が伝達できるように連結され、前記モータ軸５１の上端にはモータギヤ５２が設けられ、その作用は装置全体に動力を提供することであり、
前記温度制御装置１０２が貫通軸５５を含み、前記貫通軸５５が前記動力チャンバ５３の上下端壁と前記冷却溝８７の上下端壁と回転できるように係合連結され、前記貫通軸５５の上端には貫通軸上プーリ５８が設けられ、前記貫通軸５５の中部には貫通軸下プーリ５７が設けられ、前記貫通軸５５の下端には前記モータギヤ５２と噛み合える貫通軸ギヤ５４が設けられ、前記冷却溝８７の左右両側には前記冷却溝８７の上下端壁と回転できるように係合連結されるファン軸５９が対称的に設けられ、前記ファン軸５９の上端にはファン６１が設けられ、その中、左端の前記ファン軸５９の下端には左ファンプーリ６０が設けられ、前記左ファンプーリ６０と前記貫通軸上プーリ５８とがベルトにより連結され、右端の前記ファン軸５９の下端には伝送輪７０が設けられ、前記伝送輪７０と前記貫通軸下プーリ５７とがベルトにより連結され、前記作動チャンバ６６の外周には電熱線６５が設けられ、その作用はミルクの温度を制御することである。
【００１７】
有益的には、前記開閉装置１０３が連動軸８４を含み、前記連動軸８４が前記動力チャンバ５３の前後端壁と回転できるように係合連結され、前記連動軸８４の後端には前記親ねじ板４９と噛み合う連動ギヤ８２が設けられ、前記連動軸８４の前端には連動ウォーム８３が設けられ、前記動力チャンバ５３の左右端壁には横軸５６が回転できるように係合連結され、前記横軸５６の中部には前記連動ウォーム８３と噛み合う横軸ウォームホイール８１が設けられ、前記横軸５６の両端には横軸溝車７９が対称的に設けられ、右端の前記吹出チャンバ４２の中には第一開閉機構９７が設けられ、前記第一開閉機構９７が吹出遮断板４１を含み、前記吹出遮断板４１が前記吹出遮断板スライド溝４４とスライドできるように係合連結され、前記吹出遮断板スライド溝４４の左端壁にはストッパースライド溝４６が設けられ、前記ストッパースライド溝４６の中には前記吹出遮断板４１と固定的に連結されるストッパー４３がスライドできるように係合連結され、前記ストッパー４３と前記ストッパースライド溝４６との間にはストッパーばね４５が連結され、前記吹出遮断板スライド溝４４の下端壁には縄溝７５が設けられ、前記縄溝７５が前記吸気口６２を貫通し、前記吸気遮断板スライド溝７４の中には吸気遮断板６３がスライドできるように係合連結され、前記吸気遮断板６３の左端壁には引っ掛かりブロック溝７１が設けられ、前記引っ掛かりブロック溝７１の中には前記吸気遮断板６３と固定的に連結される引っ掛かりブロック７２がスライドできるように係合連結され、前記引っ掛かりブロック７２と前記引っ掛かりブロック溝７１の下端壁との間には引っ掛かりブロックばね７３が連結され、前記動力チャンバ５３の右端前後端壁には二つの対称な固定滑車７６が回転できるように係合連結され、前記吸気遮断板６３の下端面には第一縄９２が設けられ、左端の前記固定滑車７６を通し、前記吹出遮断板４１の下端面には第二縄９１が設けられ、右端の前記固定滑車７６を通し、前記第一縄９２と前記第二縄９１との間にはプルリング７８が連結され、前記プルリング７８の下端と右端の前記横軸溝車７９との間には第三縄９０が連結され、前記吹出チャンバ４２の左端には第二開閉機構９６が前記第一開閉機構９７と対称となるように設けられ、その作用はエアダクトを開放し、放熱に便利を与えることである。
【００１８】
有益的には、前記粉乳装置１０４が垂直軸８６を含み、前記垂直軸８６が前記動力チャンバ５３の上端壁と、前記冷却溝８７の上下端壁と、前記噛合チャンバ２５の下端壁と回転できるように係合連結され、前記垂直軸８６の下端には前記モータギヤ５２と噛み合える垂直軸下ギヤ８５が設けられ、前記垂直軸８６の上端には垂直軸上ギヤ２６が設けられ、前記噛合チャンバ２５の左端壁には粉乳ラック２４がスライドできるように係合連結され、前記粉乳ラック２４が前記垂直軸上ギヤ２６と噛みあい、前記粉乳ラック２４の左端が左へ伸びており、前記噛合チャンバ２５の左端壁を貫通して前記落ち込み溝６９の中まで入り込み、且つ、前記落ち込み溝６９の左右端壁とスライドできるように係合連結され、前記粉乳チャンバ２１の上端壁にはストロー２２が設けられ、前記ストロー２２が下へ伸びており、前記粉乳チャンバ２１の下端壁を貫通して前記作動チャンバ６６の中まで入り込み、且つ、前記作動チャンバ６６の上端壁とスライドできるように係合連結され、前記作動チャンバ６６の上端壁には前記ストロー２２とスライドできるように係合連結される栓６８が設けられ、その作用は粉乳を前記作動チャンバ６６の中に入れることである。
【００１９】
有益的には、前記分け装置１０５は第一分け機構１１０を含み、前記第一分け機構１１０が前記作動チャンバ６６の右端に位置し、前記第一分け機構１１０がＬ型開閉板軸３９を含み、前記Ｌ型開閉板軸３９が前記押し溝８８の前後端壁と回転できるように連結され、前記Ｌ型開閉板軸３９にはＬ型開閉板３８が設けられ、前記押し溝８８の中には押し板３５がスライドできるように係合連結され、前記押し板３５と前記押し溝８８の左端壁との間には押し板ばね３６が連結され、前記押し板３５の上端面が第二ラック９８であり、前記押し板３５と前記押し溝８８との間には押し板ばね３６が連結され、前記作動チャンバ６６の左端には第二分け機構１１１が前記第一分け機構１１０と対称となるように設けられ、右端の前記押し板３５がＬ型であり、右端の前記押し溝８８の中には短軸３３が前後端壁と回転できるように係合連結され、前記短軸３３の後端には前記押し板３５と噛み合う短軸ギヤ３４が設けられ、前記短軸３３の前端には短軸溝車８９が設けられ、前記排出遮断板スライド溝３０の中には排出遮断板２９がスライドできるように係合連結され、前記排出遮断板２９と前記押し板３５との間には排出遮断板ばね短軸３２が連結され、前記排出遮断板２９と前記短軸溝車８９との間には第四縄９３が連結され、前記排出遮断板２９の下端面と前記押し板３５との間にはばねが連結され、その作用は前記粉乳チャンバ２１を開け、前記瓶の蓋１００を前記主体６７から離し、洗浄や水を入れることに便利を与えることである。
【００２０】
以下、付図１−５及び上記説明した本出願の哺乳瓶の具体的な構成を参照して本出願の哺乳瓶の使用方法を詳しく紹介する：まず、初期状態において、作動チャンバ６６の中にはお湯があり、粉乳チャンバ２１の中には粉乳があり、モータギヤ５２と垂直軸下ギヤ８５とが噛み合っている。
【００２１】
使用する時、まずモータ５０を始動し、モータ軸５１と、モータギヤ５２と、垂直軸下ギヤ８５と、垂直軸８６と、垂直軸上ギヤ２６との回転により、粉乳ラック２４を右へ引っ張り、落ち込み溝６９を開け、作動チャンバ６６まで粉乳を落下させ、その後、モータ５０を逆方向に回転させることにより、落ち込み溝６９を閉じ、この時、水の温度が高すぎるので、飲もうとすると、親ねじ板４９を回転させ、親ねじ４８の回転により親ねじ板４９を連動して左へ移動させ、これによって貫通軸ギヤ５４がモータギヤ５２と噛み合い、この時、親ねじ板４９が連動軸８４と、連動ウォーム８３と、連動ギヤ８２と、横軸ウォームホイール８１と、横軸５６と、横軸溝車７９と、固定滑車７６とを連動して回転させ、これによって吸気遮断板６３と吹出遮断板４１とを下へ引っ張り、吹出チャンバ４２と吸気口６２を開け、その後、モータ５０を始動し、これによってモータ軸５１と、モータギヤ５２と、貫通軸ギヤ５４と、貫通軸５５と、貫通軸下プーリ５７と、貫通軸上プーリ５８と、左ファンプーリ６０と、伝送輪７０と、二つのファン軸５９を連動して回転させ、これによってファン６１を連動して回転させ、作動チャンバ６６の中のお湯の温度を下げ、温度を下げた後、つまみ４７により吹出チャンバ４２と吸気口６２を閉じ、これによって保温し、温度が低すぎる時、電熱線６５をオンし、作動チャンバ６６を加熱し、飲み終わった後に洗浄する時、押し板３５を押し、これによって短軸ギヤ３４を通じてＬ型開閉板３８の下端を開閉チャンバ４０の引っ掛かり溝から離し、その後瓶の蓋１００を離し、作動チャンバ６６を洗浄し、押し板３５を押す時、これによって短軸３３と、短軸ギヤ３４と、短軸溝車８９とを連動し回転させ、これによって排出遮断板２９を下へ引っ張り、これによって排出口２８を開け、これによって粉乳チャンバ２１の中に粉乳を入れることができる。
【００２２】
本発明の有益効果は：本装置が加熱、冷却、保温等の操作を完成でき、従来の哺乳瓶の粉ミルクを作ることしかできない問題を克服し、哺乳瓶の中のミルクの温度を制御することができ、乳児がいつも適温のミルクを飲むことができ、同時に本装置が粉乳を自動的に入れることができ、人が外出する時に多くの物を持つ必要がなく、本装置が機械の伝動係合により、錯誤が出る可能性を低下させ、同時に単モータを使用して多機能を実現し、装置のコストを低減し、エネルギー消耗を節約する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
瓶の蓋を含み、前記瓶の蓋の下端には主体が設けられ、前記主体の中には動力チャンバが設けられ、前記動力チャンバの中には動力装置が設けられ、前記動力チャンバの上端には冷却溝が設けられ、前記冷却溝の中には温度制御装置が設けられ、前記冷却溝の左右両端壁には吸気口が対称的に設けられ、前記吸気口が前記冷却溝と連通し、前記吸気口が外界と連通し、前記吸気口と前記動力チャンバとの間には吸気遮断板スライド溝が連通して設けられ、前記冷却溝の上端壁には吹出チャンバが設けられ、前記吹出チャンバの左右端壁がそれぞれ外界と連通し、前記吹出チャンバの下端壁には吹出遮断板スライド溝が設けられ、前記吸気口と前記吹出チャンバの中には開閉装置が設けられ、左右両側の前記吹出チャンバの間には作動チャンバが設けられ、前記瓶の蓋の中には粉乳チャンバが設けられ、前記粉乳チャンバと前記作動チャンバとの間には落ち込み溝が連通して設けられ、前記落ち込み溝の右端には噛合チャンバが設けられ、前記噛合チャンバの中には粉乳装置が設けられ、前記主体には開閉チャンバが左右対称的に設けられ、前記瓶の蓋の中には押し溝が左右対称的に設けられ、前記押し溝の中には分け装置が設けられ、右端の前記押し溝と前記排出口との間には排出遮断板スライド溝が連通して設けられ、前記瓶の蓋の上端面にはニップルが設けられ、
前記動力装置は親ねじを含み、前記親ねじが前記動力チャンバの右端壁と回転できるように係合連結され、前記親ねじの右端にはつまみが設けられ、前記親ねじには親ねじ板がねじ山により係合連結され、前記親ねじ板の上端面が第一ラックであり、前記親ねじ板の上端面にはモータが設けられ、前記モータの上端にはモータ軸が動力が伝達できるように連結され、前記モータ軸の上端にはモータギヤが設けられ、その作用は装置全体に動力を提供することであり、前記温度制御装置が貫通軸を含み、前記貫通軸が前記動力チャンバの上下端壁と前記冷却溝の上下端壁と回転できるように係合連結され、前記貫通軸の上端には貫通軸上プーリが設けられ、前記貫通軸の中部には貫通軸下プーリが設けられ、前記貫通軸の下端には前記モータギヤと噛み合える貫通軸ギヤが設けられ、前記冷却溝の左右両側には前記冷却溝の上下端壁と回転できるように係合連結されるファン軸が対称的に設けられ、前記ファン軸の上端にはファンが設けられ、その中、左端の前記ファン軸の下端には左ファンプーリが設けられ、前記左ファンプーリと前記貫通軸上プーリとがベルトにより連結され、右端の前記ファン軸の下端には伝送輪が設けられ、前記伝送輪と前記貫通軸下プーリとがベルトにより連結され、前記作動チャンバの外周には電熱線が設けられ、その作用はミルクの温度を制御することであることを特徴とする哺乳瓶。
【請求項２】
前記開閉装置が連動軸を含み、前記連動軸が前記動力チャンバの前後端壁と回転できるように係合連結され、前記連動軸の後端には前記親ねじ板と噛み合う連動ギヤが設けられ、前記連動軸の前端には連動ウォームが設けられ、前記動力チャンバの左右端壁には横軸が回転できるように係合連結され、前記横軸の中部には前記連動ウォームと噛み合う横軸ウォームホイールが設けられ、前記横軸の両端には横軸溝車が対称的に設けられ、右端の前記吹出チャンバの中には第一開閉機構が設けられ、前記第一開閉機構が吹出遮断板を含み、前記吹出遮断板が前記吹出遮断板スライド溝とスライドできるように係合連結され、前記吹出遮断板スライド溝の左端壁にはストッパースライド溝が設けられ、前記ストッパースライド溝の中には前記吹出遮断板と固定的に連結されるストッパーがスライドできるように係合連結され、前記ストッパーと前記ストッパースライド溝との間にはストッパーばねが連結され、前記吹出遮断板スライド溝の下端壁には縄溝が設けられ、前記縄溝が前記吸気口を貫通し、前記吸気遮断板スライド溝の中には吸気遮断板がスライドできるように係合連結され、前記吸気遮断板の左端壁には引っ掛かりブロック溝が設けられ、前記引っ掛かりブロック溝の中には前記吸気遮断板と固定的に連結される引っ掛かりブロックがスライドできるように係合連結され、前記引っ掛かりブロックと前記引っ掛かりブロック溝の下端壁との間には引っ掛かりブロックばねが連結され、前記動力チャンバの右端前後端壁には二つの対称な固定滑車が回転できるように係合連結され、前記吸気遮断板の下端面には第一縄が設けられ、左端の前記固定滑車を通し、前記吹出遮断板の下端面には第二縄が設けられ、右端の前記固定滑車を通し、前記第一縄と前記第二縄との間にはプルリングが連結され、前記プルリングの下端と右端の前記横軸溝車との間には第三縄が連結され、前記吹出チャンバの左端には第二開閉機構が前記第一開閉機構と対称となるように設けられ、その作用はエアダクトを開放し、放熱に便利を与えることであることを特徴とする請求項１に記載の哺乳瓶。
【請求項３】
前記粉乳装置が垂直軸を含み、前記垂直軸が前記動力チャンバの上端壁と、前記冷却溝の上下端壁と、前記噛合チャンバの下端壁と回転できるように係合連結され、前記垂直軸の下端には前記モータギヤと噛み合える垂直軸下ギヤが設けられ、前記垂直軸の上端には垂直軸上ギヤが設けられ、前記噛合チャンバの左端壁には粉乳ラックがスライドできるように係合連結され、前記粉乳ラックが前記垂直軸上ギヤと噛みあい、前記粉乳ラックの左端が左へ伸びており、前記噛合チャンバの左端壁を貫通して前記落ち込み溝の中まで入り込み、且つ、前記落ち込み溝の左右端壁とスライドできるように係合連結され、前記粉乳チャンバの上端壁にはストローが設けられ、前記ストローが下へ伸びており、前記粉乳チャンバの下端壁を貫通して前記作動チャンバの中まで入り込み、且つ、前記作動チャンバの上端壁とスライドできるように係合連結され、前記作動チャンバの上端壁には前記ストローとスライドできるように係合連結される栓が設けられ、その作用は粉乳を前記作動チャンバの中に入れることであることを特徴とする請求項１に記載の哺乳瓶。
【請求項４】
前記分け装置は第一分け機構を含み、前記第一分け機構が前記作動チャンバの右端に位置し、前記第一分け機構がＬ型開閉板軸を含み、前記Ｌ型開閉板軸が前記押し溝の前後端壁と回転できるように連結され、前記Ｌ型開閉板軸にはＬ型開閉板が設けられ、前記押し溝の中には押し板がスライドできるように係合連結され、前記押し板と前記押し溝の左端壁との間には押し板ばねが連結され、前記押し板の上端面が第二ラックであり、前記押し板と前記押し溝との間には押し板ばねが連結され、前記作動チャンバの左端には第二分け機構が前記第一分け機構と対称となるように設けられ、右端の前記押し板がＬ型であり、右端の前記押し溝の中には短軸が前後端壁と回転できるように係合連結され、前記短軸の後端には前記押し板と噛み合う短軸ギヤが設けられ、前記短軸の前端には短軸溝車が設けられ、前記排出遮断板スライド溝の中には排出遮断板がスライドできるように係合連結され、前記排出遮断板と前記押し板との間には排出遮断板ばね短軸が連結され、前記排出遮断板と前記短軸溝車との間には第四縄が連結され、前記排出遮断板の下端面と前記押し板との間にはばねが連結され、その作用は前記粉乳チャンバを開け、前記瓶の蓋を前記主体から離し、洗浄や水を入れることに便利を与えることであることを特徴とする請求項１に記載の哺乳瓶。